(57)【要約】【課題】使い勝手の更なる向上を可能とした卓上ポットを提供する。【解決手段】取手部１０の上端側に位置する蓋開閉機構１９は、キャップ本体７に回動自在に取り付けられた回動部材２１と、キャップ本体７にスライド自在に取り付けられたスライド部材２３とを有し、回動部材２１を一の方向に回動操作することによって、回動部材２１の回動に連動して、スライド部材２３がスライド方向の一方側に向けてスライドされると共に、スライド部材２３のスライドに連動して、蓋体９が通液口１２を開放する方向に回動される一方、回動部材２１を他の方向に回動操作することによって、回動部材２１の回動に連動して、スライド部材２３がスライド方向の他方側に向けてスライドされると共に、スライド部材２３のスライドに連動して、蓋体９が通液口１２を閉塞する方向に回動される。【選択図】図２
2018153303.tif 000002
【特許請求の範囲】
【請求項１】
上部が開口した容器本体と、前記容器本体の口頸部に着脱自在に取り付けられるキャップユニットとを備える卓上ポットであって、
前記キャップユニットは、前記容器本体の上部開口部を閉塞すると共に、通液口と取手部と設けられたキャップ本体と、
前記キャップ本体に回動自在に取り付けられた状態で、前記通液口を開閉する蓋体と、
前記取手部の上端側に位置して、前記蓋体を手動で開閉操作するための蓋開閉機構とを備え、
前記蓋開閉機構は、前記キャップ本体に回動自在に取り付けられた回動部材と、
前記キャップ本体にスライド自在に取り付けられたスライド部材とを有し、
前記回動部材を一の方向に回動操作することによって、前記回動部材の回動に連動して、前記スライド部材がスライド方向の一方側に向けてスライドされると共に、前記スライド部材のスライドに連動して、前記蓋体が前記通液口を開放する方向に回動される一方、
前記回動部材を他の方向に回動操作することによって、前記回動部材の回動に連動して、前記スライド部材がスライド方向の他方側に向けてスライドされると共に、前記スライド部材のスライドに連動して、前記蓋体が前記通液口を閉塞する方向に回動されることを特徴とする卓上ポット。
【請求項２】
前記蓋開閉機構は、前記蓋体の基端側と前記スライド部材の一端側とが連結されると共に、前記回動部材の一端側と前記スライド部材の他端側とが連結された構造を有し、
前記回動部材の他端側を前記一の方向に回動操作することによって、前記スライド部材が前記スライド方向の一方側にスライドされると共に、前記蓋体が前記通液口を開放する方向に回動される一方、
前記回動部材の一端側を前記他の方向に回動操作することによって、前記スライド部材が前記スライド方向の他方側にスライドされると共に、前記蓋体が前記通液口を閉塞する方向に回動されることを特徴とする請求項１に記載の卓上ポット。
【請求項３】
前記キャップユニットは、前記蓋体が前記通液口を閉塞する方向に、前記回動部材、前記スライド部材、又は前記蓋体の何れかを付勢する付勢部材を備えることを特徴とする請求項１又は２に記載の卓上ポット。
【請求項４】
前記蓋開閉機構は、前記蓋体が前記通液口を閉塞した状態から更に、前記スライド部材が前記スライド方向の一方側にスライドされることによって、前記蓋体と前記スライド部材とのうち、何れか一方に設けられた係止部が、何れ他方に設けられた被係止部に係止され、前記蓋体の前記通液口を開放する方向への回動が阻止される構造を有することを特徴とする請求項１〜３の何れか一項に記載の卓上ポット。
【請求項５】
前記容器本体は、真空断熱構造を有することを特徴とする請求項１〜４の何れか一項に記載の卓上ポット。
【発明の詳細な説明】
【技術分野】
【０００１】
本発明は、卓上ポットに関する。
【背景技術】
【０００２】
従来より、上部が開口した容器本体と、容器本体の口頸部に着脱自在に取り付けられるキャップユニットとを備えた卓上ポットがある（例えば、特許文献１を参照。）。具体的に、下記特許文献１には、栓本体の上部開口部を閉じるカバーに操作レバーを設け、この操作レバーを押し下げることによって、流液経路を閉じる弁体をコイルスプリングの付勢に抗して開方向に押し下げる構成が開示されている。
【先行技術文献】
【特許文献】
【０００３】
【特許文献１】特開２０１３−２４８３５２号公報
【発明の概要】
【発明が解決しようとする課題】
【０００４】
ところで、上述した従来の卓上ポットでは、栓本体の内部に弁体やコイルスプリング等を配置した構成のため、弁体を開閉するための機構が複雑となるだけでなく、流液通路の洗浄性が悪くなるといった問題があった。
【０００５】
また、卓上ポットでは、容器本体の側面に設けられた取手を片手で把持しながら、取手よりも上部に設けられた操作レバーを押し下げる方向に操作しなければならず、必ずしも操作性に優れたものではなかった。
【０００６】
本発明は、このような従来の事情に鑑みて提案されたものであり、キャップユニットの洗浄性を高めると共に、通液口を開閉する際の操作性を向上させることによって、使い勝手の更なる向上を可能とした卓上ポットを提供することを目的とする。
【課題を解決するための手段】
【０００７】
上記目的を達成するために、本発明は以下の手段を提供する。
〔１〕  上部が開口した容器本体と、前記容器本体の口頸部に着脱自在に取り付けられるキャップユニットとを備える卓上ポットであって、
前記キャップユニットは、前記容器本体の上部開口部を閉塞すると共に、通液口と取手部と設けられたキャップ本体と、
前記キャップ本体に回動自在に取り付けられた状態で、前記通液口を開閉する蓋体と、
前記取手部の上端側に位置して、前記蓋体を手動で開閉操作するための蓋開閉機構とを備え、
前記蓋開閉機構は、前記キャップ本体に回動自在に取り付けられた回動部材と、
前記キャップ本体にスライド自在に取り付けられたスライド部材とを有し、
前記回動部材を一の方向に回動操作することによって、前記回動部材の回動に連動して、前記スライド部材がスライド方向の一方側に向けてスライドされると共に、前記スライド部材のスライドに連動して、前記蓋体が前記通液口を開放する方向に回動される一方、
前記回動部材を他の方向に回動操作することによって、前記回動部材の回動に連動して、前記スライド部材がスライド方向の他方側に向けてスライドされると共に、前記スライド部材のスライドに連動して、前記蓋体が前記通液口を閉塞する方向に回動されることを特徴とする卓上ポット。
〔２〕  前記蓋開閉機構は、前記蓋体の基端側と前記スライド部材の一端側とが連結されると共に、前記回動部材の一端側と前記スライド部材の他端側とが連結された構造を有し、
前記回動部材の他端側を前記一の方向に回動操作することによって、前記スライド部材が前記スライド方向の一方側にスライドされると共に、前記蓋体が前記通液口を開放する方向に回動される一方、
前記回動部材の一端側を前記他の方向に回動操作することによって、前記スライド部材が前記スライド方向の他方側にスライドされると共に、前記蓋体が前記通液口を閉塞する方向に回動されることを特徴とする前記〔１〕に記載の卓上ポット。
〔３〕  前記キャップユニットは、前記蓋体が前記通液口を閉塞する方向に、前記回動部材、前記スライド部材、又は前記蓋体の何れかを付勢する付勢部材を備えることを特徴とする前記〔１〕又は〔２〕に記載の卓上ポット。
〔４〕  前記蓋開閉機構は、前記蓋体が前記通液口を閉塞した状態から更に、前記スライド部材が前記スライド方向の一方側にスライドされることによって、前記蓋体と前記スライド部材とのうち、何れか一方に設けられた係止部が、何れ他方に設けられた被係止部に係止され、前記蓋体の前記通液口を開放する方向への回動が阻止される構造を有することを特徴とする前記〔１〕〜〔３〕の何れか一項に記載の卓上ポット。
〔５〕  前記容器本体は、真空断熱構造を有することを特徴とする前記〔１〕〜〔４〕の何れか一項に記載の卓上ポット。
【発明の効果】
【０００８】
以上のように、本発明によれば、キャップユニットの洗浄性を高めると共に、通液口を開閉する際の操作性を向上させることによって、使い勝手の更なる向上を可能とした卓上ポットを提供することが可能である。
【図面の簡単な説明】
【０００９】
【図１】本発明の第１の実施形態に係る卓上ポットが備えるキャップユニットの閉塞状態を示す側面図である。
【図２】図１に示すキャップユニットの閉塞状態を示す断面図である。
【図３】図１に示すキャップユニットの閉塞状態を示す上面図である。
【図４】図１に示すキャップユニットが備える蓋開閉機構の閉塞状態を示す断面図である。
【図５】図１に示すキャップユニットの開放状態を示す側面図である。
【図６】図１に示すキャップユニットの開放状態を示す断面図である。
【図７】図１に示すキャップユニットの開放状態を示す上面図である。
【図８】図１に示すキャップユニットが備える蓋開閉機構の開放状態を示す断面図である。
【図９】本発明の第２の実施形態に係る卓上ポットが備えるキャップユニットの閉塞状態を示す側面図である。
【図１０】図９に示すキャップユニットの閉塞状態を示す断面図である。
【図１１】図９に示すキャップユニットの閉塞状態を示す上面図である。
【図１２】図９に示すキャップユニットが備える蓋開閉機構の閉塞状態を示す断面図である。
【図１３】図９に示すキャップユニットの開放状態を示す側面図である。
【図１４】図９に示すキャップユニットの開放状態を示す断面図である。
【図１５】図９に示すキャップユニットの開放状態を示す上面図である。
【図１６】図９に示すキャップユニットが備える蓋開閉機構の開放状態を示す断面図である。
【発明を実施するための形態】
【００１０】
以下、本発明の実施形態について、図面を参照して詳細に説明する。
（第１の実施形態）
先ず、本発明の第１の実施形態として、例えば図１〜図８に示すキャップユニット１Ａを備えた卓上ポット１００について説明する。
【００１１】
なお、図１は、卓上ポット１００が備えるキャップユニット１Ａの閉塞状態を示す側面図である。図２は、キャップユニット１Ａの閉塞状態を示す断面図である。図３は、キャップユニット１Ａの閉塞状態を示す上面図である。図４は、キャップユニット１Ａが備える蓋開閉機構１９の閉塞状態を示す断面図である。図５は、キャップユニット１Ａの開放状態を示す側面図である。図６は、キャップユニット１Ａの開放状態を示す断面図である。図７は、キャップユニット１Ａの開放状態を示す上面図である。図８は、キャップユニット１Ａが備える蓋開閉機構１９の開放状態を示す断面図である。なお、図２は、図３中の線分Ｉ−Ｉに示す位置における断面を表し、図４は、図３中の線分II−IIに示す位置における断面を表している。また、図６は、図７中の線分III−IIIに示す位置における断面を表し、図８は、図７中の線分IV−IVに示す位置における断面を表している。
【００１２】
本実施形態の卓上ポット１００は、図１〜図８に示すように、本実施形態のキャップユニット１Ａと、このキャップユニット１Ａが着脱自在に取り付けられる容器本体２とを備えている。卓上ポット１００は、真空断熱構造を有する容器本体２によって、この容器本体２に収容された飲料（内容物）を保温又は保冷することが可能なキャップ付き容器である。
【００１３】
具体的に、この容器本体２は、例えばステンレス等からなる有底筒状の外容器３及び内容器４を有し、外容器３の内側に内容器４を収容した状態で互いの口元部を接合した二重構造の容器により構成されている。また、外容器３と内容器４との間には、真空断熱層５が設けられている。真空断熱層５は、例えば、高真空に減圧（真空引き）されたチャンバー内で、外容器３の底面中央部に設けられた脱気孔を塞ぐことによって形成することができる。
【００１４】
容器本体２は、略円形状の底面部２ａと、底面部２ａの外周から略筒状に起立した胴部２ｂと、胴部２ｂの上部側において縮径された略円筒状の口頸部２ｃとを有している。また、口頸部２ｃの上端部は、容器本体２の上部開口部２ｄとして、円形状に開口している。また、口頸部２ｃの内周面は、胴部２ｂの内周面よりも縮径されている。さらに、口頸部２ｃの内周面には、リング状の張出部６が全周に亘って突出して設けられている。
【００１５】
なお、本実施形態の卓上ポット１００は、全体として寸胴且つ胴部２ｂの上部側において縮径された略円筒状の外観形状を有しているが、卓上ポット１００の外観形状については、特に限定されるものではなく、サイズやデザイン等に合わせて、適宜変更を加えることが可能である。また、容器本体２の外周面には、塗装や印刷等が施されていてもよい。
【００１６】
本実施形態のキャップユニット１Ａは、容器本体２の上部開口部２ｄを閉塞する栓体を構成するものである。具体的に、このキャップユニット１Ａは、キャップ本体７と、キャップ本体７に第１のヒンジ部８を介して回動自在に取り付けられた蓋体９とを備えている。なお、キャップユニット１Ａでは、図示を省略するものの、キャップ本体７の上部を覆うカバー部材を設けた構成としてもよい。
【００１７】
キャップ本体７は、取手部１０が設けられた外側キャップ１１と、注ぎ口となる通液口１２が設けられた内側キャップ１３とを備えている。なお、以下の説明では、キャップ本体７の取手部１０が設けられた側を卓上ポット１００の「後側（背面側）」とし、それとは反対側を卓上ポットの「前側（正面側）」として説明する。
【００１８】
外側キャップ１１は、例えばポリプロピレン等の耐熱性樹脂からなる。外側キャップ１１は、容器本体２の胴部２ｂと連続するように略円筒状に形成された周壁部１１ａを有している。取手部１０は、この周壁部１１ａの外周部から突出し、下方に延長して設けられている。
【００１９】
外側キャップ１１（キャップ本体７）は、容器本体２の口頸部２ｃに密閉パッキン１４を介して着脱自在に取り付けられている。密閉パッキン１４は、リング状のシール部材であり、例えばシリコーンゴム等の耐熱性を有するゴムやエラストマーなどの弾性部材からなる。密閉パッキン１４は、周壁部１１ａの内側に設けられたリング状の溝部１１ｂに嵌め付けられている。また、密閉パッキン１４は、この溝部１１ｂの内面に沿った形状を有している。
【００２０】
外側キャップ１１（キャップ本体７）は、密閉パッキン１４を介して周壁部１１ａの溝部１１ｂに口頸部２ｃの上端部が嵌め付けられることによって、容器本体２の口頸部２ｃに取り付けられている。
【００２１】
なお、外側キャップ１１（キャップ本体７）は、上述した容器本体２の口頸部２ｃに嵌め付けにより着脱自在に取り付けられる構成に限らず、周壁部１１ａの内周面に設けられた雌ネジ部と、口頸部２ｃの外周面に設けられた雄ネジ部との螺合によって、容器本体２に対して着脱自在に取り付けられる構成としてもよい。
【００２２】
また、キャップ本体７は、外側キャップ１１と内側キャップ１３とに分割可能な構成となっているが、外側キャップ１１と内側キャップ１３とを一体化に形成することも可能である。
【００２３】
内側キャップ１３は、例えばポリプロピレン等の耐熱性樹脂からなる。内側キャップ１３は、周壁部１１ａ（外側キャップ１１）の上部を覆う略円板状の上壁部１３ａと、周壁部１１ａ（外側キャップ１１）の内側を閉塞する略円筒状の中栓１３ｂとを有している。
【００２４】
内側キャップ１３は、外側キャップ１１の周壁部１１ａに螺合により着脱自在に取り付けられている。このため、周壁部１１ａの内周面には、雌ネジ部１５が設けられている。一方、中栓１３ｂの外周面には、雌ネジ部１５と螺合される雄ネジ部１６が設けられている。
【００２５】
通液口１２は、キャップ本体７の上部（内側キャップ１３の上壁部１３ａ）における前側付近を貫通する断面円形状の孔部１２ａを有している。また、通液口１２は、この孔部１２ａから上方に向けて漸次拡径されたテーパー状の広口部１２ｂを有している。さらに、通液口１２は、この広口部１２ｂの一端（前端）側から上壁部１３ａよりも上方且つ周壁部１１ａよりも前方に突出された鍔部１２ｃを有している。キャップユニット１Ａでは、このような形状の通液口１２を設けることによって、容器本体２から通液口１２を通して流出される飲料（内容物）を注ぎ易くすることができる。
【００２６】
一方、中栓１３ｂには、容器本体２内の飲料（内容物）を通液口１２（孔部１２ａ）へと導く通液路１３ｃが設けられている。通液路１３ｃは、通液口１２（孔部１２ａ）から中栓１３ｂの下端に向かって拡径された形状を有している。
【００２７】
中栓１３ｂの下端部には、止水パッキン１７が着脱自在に取り付けられている。止水パッキン１７は、リング状のシール部材であり、上記密閉パッキン１４と同様に、例えばシリコーンゴム等の耐熱性を有するゴムやエラストマーなどの弾性部材からなる。一方、中栓１３ｂの下端部には、フランジ部１３ｄが拡径方向に突出して設けられている。止水パッキン１７は、このフランジ部１３ｄに全周に亘って嵌め付けられている。
【００２８】
また、止水パッキン１７の外周面には、弾性フランジ部１７ａが拡径方向に突出して設けられている。止水パッキン１７は、外側キャップ１１に内側キャップ１３が取り付けられた際に、弾性フランジ部１７ａが弾性変形しながら、容器本体２の張出部６に全周に亘って密着した状態となる。これにより、張出部６（容器本体２）と内側キャップ１３（キャップ本体７）との間を密閉することが可能となっている。
【００２９】
一方、止水パッキン１７は、それ自体を弾性変形させる（引っ張り伸ばす）ことによって、フランジ部１３ｄから取り外すことが可能である。これにより、止水パッキン１７と内側キャップ１３とをそれぞれ別々に洗浄することができ、止水パッキン１７とフランジ部１３ｄとの間を衛生的に保つことができる。
【００３０】
なお、止水パッキン１７については、上述した形状のものに必ずしも限定されるものではなく、例えば、弾性フランジ部１７ａの数については、上述した１つに限らず、複数とすることも可能である。また、止水パッキン１７は、上述した弾性フランジ部１７ａが設けられた構成に必ずしも限定されるものではなく、その形状等について適宜変更を加えることが可能である。
【００３１】
第１のヒンジ部８は、キャップ本体７（内側キャップ１３）の後側の上面（上壁部１３ａ）に設けられている。第１のヒンジ部８は、キャップ本体７の前後方向に沿って配置された蓋体９の基端（後端）側を回動自在に支持している。
【００３２】
蓋体９は、通液口１２を開閉するものであり、例えばポリプロピレン（ＰＰ）等の耐熱性樹脂からなる。蓋体９は、通液口１２の上部を覆う蓋部９ａと、通液口１２の内側を閉塞する栓部９ｂとを有している。蓋部９ａは、略矩形平板に形成されている。栓部９ｂは、蓋部９ａの先端側から下方に突出して設けられている。
【００３３】
栓部９ｂの先端（下端）には、蓋パッキン１８が着脱自在に取り付けられている。蓋パッキン１８は、有底筒状のシール部材であり、上記密閉パッキン１４や止水パッキン１７と同様に、例えばシリコーンゴム等の耐熱性を有するゴムやエラストマーなどの弾性部材からなる。蓋パッキン１８の内周面には、リング状の突部１８ａが全周に亘って設けられている。また、蓋パッキン１８の下面は、ドーム状に形成されている。一方、栓部９ｂの外周面には、リング状の溝部９ｃが全周に亘って設けられている。
【００３４】
蓋パッキン１８は、その内側に栓部９ｂを嵌め込むことによって、溝部９ｃに突部１８ａが係合された状態となる。これにより、栓部９ｂの先端（下端）に蓋パッキン１８を取り付けることが可能となっている。
【００３５】
蓋パッキン１８は、蓋体９が通液口１２を閉塞したときに、弾性変形しながら、通液口１２の孔部１２ａの周囲に密着した状態となる。これにより、通液口１２と栓部９ｂとの間を密閉（閉栓）することが可能となっている。
【００３６】
一方、蓋パッキン１８は、栓部９ｂ（蓋体９）から取り外すことも可能である。これにより、蓋パッキン１８と栓部９ｂ（蓋体９）とをそれぞれ別々に洗浄することができ、蓋パッキン１８と栓部９ｂ（蓋体９）との間を衛生的に保つことができる。
【００３７】
キャップユニット１Ａは、取手部１０の上端側に位置して、蓋体９を手動で開閉操作するための蓋開閉機構１９を備えている。蓋開閉機構１９は、キャップ本体７に第２のヒンジ部２０を介して回動自在に取り付けられた回動部材２１と、キャップ本体７にガイド部２２を介してスライド自在に取り付けられたスライド部材２３とを有している。
【００３８】
第２のヒンジ部２０は、内側キャップ１３の後端から取手部１０の上端に向かって延長された延長部１３ｅに設けられている。第２のヒンジ部２０は、取手部１０の上下方向に沿って配置された回動部材２１の中間部を回動自在に支持している。
【００３９】
回動部材２１は、例えばポリプロピレン（ＰＰ）等の耐熱性樹脂からなり、略矩形平板状に形成されている。第２のヒンジ部２０は、この回動部材２１における両側端の中間部に設けられている。これにより、回動部材２１は、取手部１０の上端の背面側に位置して、その上端（一端）側と下端（他端）側との間が第２のヒンジ部２０を介して回動自在に支持されている。
【００４０】
ガイド部２２は、上壁部１３ａに位置する一対の前側ガイド部２２ａと、延長部１３ｅに位置する一対の後側ガイド部２２ｂとを有している。ガイド部２２は、前側ガイド部２２ａと後側ガイド部２２ｂとの間で、スライド部材２３の両側端を保持しながら、キャップ本体７の前後方向にスライド部材２３をスライド自在に支持している。
【００４１】
スライド部材２３は、例えばポリプロピレン（ＰＰ）等の耐熱性樹脂からなる。スライド部材２３は、互いに平行に並んで配置された一対の前側ラック部２３ａと、一対の前側ラック部２３ａの後端側を連結すると共に、その連結位置から延長部１３ｅに沿って延長されたスライド部２３ｂと、スライド部２３ｂの後端側の両側端に配置された一対の後側ラック部２３ｃとを有している。
【００４２】
スライド部材２３は、一対の前側ガイド部２２ａに一対の前側ラック部２３ａが保持され、一対の後側ガイド部２２ｂに一対の後側ラック部２３ｃが保持されることによって、キャップ本体７の前後方向にスライド可能となっている。
【００４３】
蓋開閉機構１９では、蓋体９の後端（基端）側とスライド部材２３の前端（一端）側とのうち、何れか一方（本実施形態では蓋体９の後端側）に設けられた第１の係合部２４と、何れか他方（本実施形態ではスライド部材２３の前端側）に設けられた第１の被係合部２５とが互いに係合されることによって、蓋体９の後端側とスライド部材２３の前端側とが連結されている。
【００４４】
第１の係合部２４は、蓋体９の両側端から外側に突出された一対のガイドピン２４ａからなる。一対のガイドピン２４ａは、蓋体９が閉状態（例えば図２を参照。）において、蓋体９の回動中心（第１のヒンジ部８）よりも僅かに前側に位置して設けられている。一方、第１の被係合部２５は、一対の前側ラック部２３ａ（スライド部材２３）の互いに対向する側面（内側面）において、一対のガイドピン２４ａが係合される一対のガイドスリット２５ａからなる。一対のガイドスリット２５ａは、蓋体９が回動したときに一対のガイドピン２４ａを案内するため、これら一対のガイドピン２４ａが移動する軌跡に合わせて切り欠き形成されている。
【００４５】
これにより、蓋体９は、スライド部材２３のスライドに連動して、一対のガイドスリット２５ａ内を一対のガイドピン２４ａが相対移動することによって、通液口１２を閉塞する位置と通液口１２を開放する位置との間で回動可能となっている。
【００４６】
なお、本実施形態では、上述した蓋体９の後端（基端）側に第１の係合部２４（ガイドピン２４ａ）を設け、スライド部材２３の前端（一端）側に第１の被係合部２５（ガイドスリット２５ａ）を設けた構成となっているが、それとは逆の構成、すなわち、蓋体９の後端（基端）側に第１の被係合部２５（ガイドスリット２５ａ）を設け、スライド部材２３の前端（一端）側に第１の係合部２４（ガイドピン２４ａ）を設けた構成とすることも可能である。また、第１の係合部２４と第１の被係合部２５とは、上述したガイドピン２４ａがガイドスリット２５ａに係合される構成に限らず、互いの係合構造を適宜変更することが可能である。
【００４７】
また、蓋開閉機構１９では、回動部材２１の上端（一端）側とスライド部材２３の後端（他端）側とのうち、何れか一方（本実施形態では回動部材２１の上端側）に設けられた第２の係合部２６と、何れか他方（本実施形態ではスライド部材２３の後端側）に設けられた第２の被係合部２７とが互いに係合されることによって、回動部材２１の上端側とスライド部材２３の後端側とが連結されている。
【００４８】
第２の係合部２６は、回動部材２１の両側端の上部から外側に突出された一対のガイド片２６ａからなる。一方、第２の被係合部２７は、一対の後側ラック部２３ｃ（スライド部材２３）の互いに対向する側面（内側面）において、一対のガイド片２６ａが係合される一対のガイド溝２７ａからなる。一対のガイド溝２７ａは、回動部材２１が回動したときに一対のガイド片２６ａを案内するため、これら一対のガイド片２６ａが移動する軌跡に合わせて切り欠き形成されている。
【００４９】
これにより、スライド部材２３は、回動部材２１の回動に連動して、一対のガイド溝２７ａ内を一対のガイド片２６ａが相対移動することによって、キャップ本体７の前後方向にスライド可能となっている。
【００５０】
なお、本実施形態では、上述した回動部材２１の上端（一端）側に第２の係合部２６（ガイド片２６ａ）を設け、スライド部材２３の後端（他端）側に第２の被係合部２７（ガイド溝２７ａ）を設けた構成となっているが、それとは逆の構成、すなわち、回動部材２１の上端（一端）側に第２の被係合部２７（ガイド溝２７ａ）を設け、スライド部材２３の後端（他端）側に第２の係合部２６（ガイド片２６ａ）を設けた構成とすることも可能である。また、第２の係合部２６と第２の被係合部２７とは、上述したガイド片２６ａがガイド溝２７ａに係合される構成に限らず、互いの係合構造を適宜変更することが可能である。
【００５１】
蓋開閉機構１９では、回動部材２１の下端（他端）側を押圧しながら一の方向に回動操作することによって、回動部材２１の回動に連動して、スライド部材２３がスライド方向の後方（一方）側に向けてスライドされると共に、スライド部材２３のスライドに連動して、蓋体９が通液口１２を開放する方向（以下、開方向という。）に回動される。
【００５２】
一方、蓋開閉機構１９では、回動部材２１の上端（一端）側を押圧しながら他の方向に回動操作することによって、回動部材２１の回動に連動して、スライド部材２３がスライド方向の前方（他方）側に向けてスライドされると共に、スライド部材２３のスライドに連動して、蓋体９が通液口１２を閉塞する方向（以下、閉方向という。）に回動される。
【００５３】
蓋開閉機構１９は、蓋体９とスライド部材２３とのうち、何れか一方（本実施形態では蓋体９）に設けられた係止部２８と、何れ他方（本実施形態ではスライド部材２３）に設けられた被係止部２９とを有している。
【００５４】
係止部２８は、蓋部９ａ（蓋体９）の先端側の両側端から外側に突出された一対の係止ピン２８ａからなる。一方、被係止部２９は、一対の前側ラック部２３ａ（スライド部材２３）の互いに対向する側面（内側面）において、一対の係止ピン２８ａが係止される一対の係止スリット２９ａからなる。一対の係止スリット２９ａは、蓋体９が通液口１２を閉塞した位置にて一対の係止ピン２８ａが挿入され、この位置から更に、スライド部材２３がスライド方向の前方（他方）側にスライドしたときに、一対の係止ピン２８ａが係止されるように、これら一対の係止ピン２８ａが移動する軌跡に合わせて切り欠き形成されている。
【００５５】
蓋開閉機構１９では、蓋体９が通液口１２を閉塞した状態から更に、スライド部材２３がスライド方向の前方（他方）側にスライドされることによって、係止ピン２８ａ（係止部２８）が係止スリット２９ａ（被係止部２９）に係止され、蓋体９の通液口１２を開放する方向への回動が阻止される。
【００５６】
なお、本実施形態では、上述した蓋体９側に係止部２８（係止ピン２８ａ）を設け、スライド部材２３側に被係止部２９（係止スリット２９ａ）を設けた構成となっているが、それとは逆の構成、すなわち、蓋体９側に被係止部２９（係止スリット２９ａ）を設け、スライド部材２３側に係止部２８（係止ピン２８ａ）を設けた構成とすることも可能である。また、係止部２８と被係止部２９とは、上述した係止ピン２８ａが係止スリット２９に係止される構成に限らず、互いの係止構造を適宜変更することが可能である。
【００５７】
以上のように、本実施形態のキャップユニット１Ａでは、上述した取手部１０を片手で把持しながら、取手部１０の上端側に位置する回動部材２１を回動操作することによって、蓋体９を手動で開閉することができる。また、このキャップユニット１Ａを備える卓上ポット１００では、蓋体９をゆっくりと開けたり、蓋体９を途中まで開けたりする操作を取手部１０を持ちながら、片手で行うことが可能である。
【００５８】
以上のようにして、本実施形態のキャップユニット１Ａでは、蓋体９を開閉する際の操作性を向上させることが可能である。また、本実施形態のキャップユニット１Ａでは、キャップ本体７の外側に蓋体９や蓋開閉機構１９が配置されているため、通液路１３ｃから孔部１２ａまでの間に閉空間がなく非常に洗浄し易くなっている。したがって、このようなキャップユニット１Ａを備える卓上ポット１００では、このキャップユニット１Ａの洗浄性を高めると共に、使い勝手の更なる向上を図ることが可能である。
【００５９】
（第２の実施形態）
次に、本発明の第２の実施形態として、例えば図９〜図１６に示すキャップユニット１Ｂを備えた卓上ポット１００について説明する。なお、以下の説明では、上記キャップユニット１Ａと同等の部位については、説明を省略すると共に、図面において同じ符号を付すものとする。
【００６０】
なお、図９は、卓上ポット１００が備えるキャップユニット１Ｂの閉塞状態を示す側面図である。図１０は、キャップユニット１Ｂの閉塞状態を示す断面図である。図１１は、キャップユニット１Ｂの閉塞状態を示す上面図である。図１２は、キャップユニット１Ｂが備える蓋開閉機構１９の閉塞状態を示す断面図である。図１３は、キャップユニット１Ｂの開放状態を示す側面図である。図１４は、キャップユニット１Ｂの開放状態を示す断面図である。図１５は、キャップユニット１Ｂの開放状態を示す上面図である。図１６は、キャップユニット１Ｂが備える蓋開閉機構１９の閉塞状態を示す断面図である。なお、図１０は、図１１中の線分Ｉ−Ｉに示す位置における断面を表し、図４は、図３中の線分II−IIに示す位置における断面を表している。また、図１４は、図１５中の線分III−IIIに示す位置における断面を表し、図１６は、図１５中の線分IV−IVに示す位置における断面を表している。
【００６１】
本実施形態のキャップユニット１Ｂは、上記キャップユニット１Ａの代わりに、容器本体２に取り付けられることによって、上記卓上ポット１００を構成するものである。
【００６２】
具体的に、このキャップユニット１Ｂは、図９〜図１６に示すように、上記キャップユニット１Ａの構成に加えて、蓋体９が通液口１２を閉塞する方向に付勢する付勢部材３０が設けられた構成となっている。また、それ以外の構成については、上記キャップユニット１Ａと基本的に同じ構成を有している。
【００６３】
付勢部材３０は、複数のコイルバネ３０ａからなり、スライド部材２３をスライド方向の前方（他方）側に向けて付勢している。複数のコイルバネ３０ａは、スライド部材２３側に設けられた一方のバネ受部３１ａと、キャップ本体７側に設けられた他方のバネ受部３１ｂとの間に圧縮された状態で配置されている。
【００６４】
一方のバネ受部３１ａは、スライド部材２３の前側ラック部２３ａとスライド部２３ｂとの間の上面に設けられている。他方のバネ受部３１ｂは、上壁部１３ａの一方のバネ受部３１ａよりも後側の上面に設けられている。スライド部材２３のスライド部２３ｂには、他方のバネ受部３１ｂを貫通させる開口部２３ｄが設けられている。
【００６５】
この構成の場合、上述した回動部材２１の下端（他端）側を押圧する操作を解除することによって、複数のコイルバネ３０ａ（付勢部材３０）の付勢によりスライド部材２３が前方（他方）側に向けてスライドされるため、蓋体９を閉方向に速やかに回動させることが可能である。
【００６６】
すなわち、本実施形態のキャップユニット１Ｂでは、回動部材２１の下端（他端）側を押圧する操作と、回動部材２１の下端（他端）側に対する押圧を解除する操作とによって、蓋体９を手動で開閉操作することが可能である。
【００６７】
なお、本実施形態では、蓋体９が通液口１２を閉塞する方向に付勢するため、上述した付勢部材３０によってスライド部材２３をスライド方向の前方（他方）側に向けて付勢する構成となっているが、このような構成に必ずしも限定されるものではない。
【００６８】
例えば、第１のヒンジ部８に設けられた付勢部材によって、蓋体９が通液口１２を閉塞する方向（閉方向）に付勢する構成とすることも可能である。また、第２のヒンジ部２０に設けられた付勢部材によって、回動部材２１を他の方向に付勢する構成とすることも可能である。
【００６９】
なお、第１のヒンジ部８や第２のヒンジ部２０に設けられる付勢部材については、捻りコイルバネなどのバネ部材や、ゴム又はエラストマー等の弾性部材などを用いることができる。
【００７０】
以上のように、本実施形態のキャップユニット１Ｂでは、上記キャップユニット１Ａと同様に、取手部１０を片手で把持しながら、取手部１０の上端側に位置する回動部材１７を回動操作することによって、蓋体９を手動で開閉することができる。また、このキャップユニット１Ｂを備える卓上ポット１００では、蓋体９をゆっくりと開けたり、蓋体９を途中まで開けたりする操作を取手部１０を持ちながら、片手で行うことが可能である。
【００７１】
以上のようにして、本実施形態のキャップユニット１Ｂでは、蓋体９を開閉する際の操作性を向上させることが可能である。また、本実施形態のキャップユニット１Ｂでは、キャップ本体７の外側に蓋体９や蓋開閉機構１９が配置されているため、通液路１３ｃから孔部１２ａまでの間に閉空間がなく非常に洗浄し易くなっている。したがって、このようなキャップユニット１Ｂを備える卓上ポット１００では、このキャップユニット１Ｂの洗浄性を高めると共に、使い勝手の更なる向上を図ることが可能である。
【００７２】
なお、本発明は、上記実施形態のものに必ずしも限定されるものではなく、本発明の趣旨を逸脱しない範囲において種々の変更を加えることが可能である。
すなわち、上記実施形態では、上述した真空断熱構造を有する容器本体２によって保温・保冷機能を持たせた卓上ポット１００に本発明を適用した場合を例示しているが、このような真空断熱構造を有する容器本体２を備えたものに必ずしも限定されるものではない。すなわち、本発明は、キャップユニットが容器本体の口頸部に着脱自在に取り付けられる卓上ポットに対して幅広く適用することが可能である。
【符号の説明】
【００７３】
１００…卓上ポット  １Ａ，１Ｂ…キャップユニット  ２…容器本体  ２ｃ…口頸部  ２ｄ…上部開口部  ３…外容器  ４…内容器  ５…真空断熱層  ６…張出部  ７…キャップ本体  ８…第１のヒンジ部  ９…蓋体  １０…取手部  １１…外側キャップ  １２…通液口  １３…内側キャップ  １４…密閉パッキン  １５…雌ネジ部  １６…雄ネジ部  １７…止水パッキン  １８…蓋パッキン  １９…蓋開閉機構  ２０…第２のヒンジ部  ２１…回動部材  ２２…ガイド部  ２３…スライド部材  ２４…第１の係合部  ２５…第１の被係合部  ２６…第２の係合部  ２７…第２の被係合部  ２８…係止部  ２９…被係止部  ３０…付勢部材
【図１】
2018153303.tif 000003
【図２】
2018153303.tif 000004
【図３】
2018153303.tif 000005
【図４】
2018153303.tif 000006
【図５】
2018153303.tif 000007
【図６】
2018153303.tif 000008
【図７】
2018153303.tif 000009
【図８】
2018153303.tif 000010
【図９】
2018153303.tif 000011
【図１０】
2018153303.tif 000012
【図１１】
2018153303.tif 000013
【図１２】
2018153303.tif 000014
【図１３】
2018153303.tif 000015
【図１４】
2018153303.tif 000016
【図１５】
2018153303.tif 000017
【図１６】
2018153303.tif 000018